(57)【要約】【課題】送話側のキー操作に応じた音声を受話側に出力させることができる通信システムを提供する。【解決手段】送話側通信端末１が、押下されたキーを示すキー情報を受話側通信端末２に送信するキー入力通話状態で、押下されたキーを示すキー情報を生成する送話側制御部３２と、キー情報を通信ネットワークを介して受話側通信端末２に送信する送話側無線部３３とを含む。受話側通信端末２は、所定のキー情報に対応づけられた音声データを記憶する受話側メモリ部３６と、送話側通信端末１から通信ネットワークを介してキー情報を受信する受話側無線部３４と、受話側無線部３４が受信したキー情報に対応づけられた音声データを受話側メモリ部３６から読み出して、音声信号に変換してレシーバ３７に出力する受話側制御部３６とを含む。【選択図】図１
2008124972.tif 000002
【特許請求の範囲】
【請求項１】
第１の通信端末が通信ネットワークを介して送信した情報にもとづいて、第２の通信端末が音声を出力する通信システムにおいて、
前記第１の通信端末は、
ユーザによってなされた操作に従って、入力された音声にもとづく音声情報を前記第２の通信端末に送信する音声通話状態から、押下されたキーを示すキー情報を前記第２の通信端末に送信するキー入力通話状態に遷移し、前記キー入力通話状態で、押下されたキーを示すキー情報を生成する送話側制御手段と、
前記キー入力通話状態で、キー情報を前記通信ネットワークを介して前記第２の通信端末に送信するキー情報送信手段とを含み、
前記第２の通信端末は、
所定のキー情報に対応づけられた音声データを記憶する記憶手段と、
前記第１の通信端末から前記通信ネットワークを介してキー情報を受信するキー情報受信手段と、
前記キー情報受信手段が受信したキー情報に対応づけられた音声データを前記記憶手段から読み出して、音声信号に変換してスピーカに出力する受話側制御手段とを含む
ことを特徴とする通信システム。
【請求項２】
記憶手段は、キー情報に対応づけられた音声データであって、前記キー情報に応じた文字の音声データを記憶し、
受話側制御手段は、キー情報受信手段が受信したキー情報に対応づけられた音声データを前記記憶手段から読み出して、音声信号に変換してスピーカに出力する
請求項１記載の通信システム。
【請求項３】
送話側制御手段は、キー入力通話状態で、所定の時間内に押下されたキーの組み合わせを示すキー情報を生成する
請求項２記載の通信システム。
【請求項４】
送話側制御手段は、キー入力通話状態で、所定の時間内に押下されたキーの組み合わせを示すキー情報を生成し、
記憶手段は、キー情報に対応づけられた音声データであって、前記キー情報に応じた文字または文の音声データを記憶し、
受話側制御手段は、キー情報受信手段が受信したキー情報に対応づけられた音声データを前記記憶手段から読み出して、音声信号に変換してスピーカに出力する
請求項１記載の通信システム。
【請求項５】
送話側制御手段は、キー入力通話状態で、所定の時間内に押下されたキーの組み合わせを示すキー情報を生成し、
記憶手段は、緊急呼を示すキーの組み合わせのキー情報に対応づけられた音声データであって、緊急呼に応じた文の音声データを記憶し、
受話側制御手段は、キー情報受信手段が受信したキー情報に対応づけられた音声データを前記記憶手段から読み出して、音声信号に変換してスピーカに出力する
請求項１記載の通信システム。
【請求項６】
第１の通信端末が通信ネットワークを介して送信した情報にもとづいて、第２の通信端末が音声を出力する通信方法において、
前記第１の通信端末が、ユーザによってなされた操作に従って、入力された音声にもとづく音声情報を前記第２の通信端末に送信する音声通話状態から、押下されたキーを示すキー情報を前記第２の通信端末に送信するキー入力通話状態に遷移し、前記キー入力通話状態で、押下されたキーを示すキー情報を生成するキー情報生成ステップと、
前記第１の通信端末が、前記キー入力通話状態で、キー情報を前記通信ネットワークを介して前記第２の通信端末に送信するキー情報送信ステップと、
前記第２の通信端末が、前記第１の通信端末から前記通信ネットワークを介してキー情報を受信するキー情報受信ステップと、
前記第２の通信端末が、前記キー情報受信ステップで受信したキー情報に対応づけられた音声データを、所定のキー情報に対応づけられた音声データを記憶する記憶手段から読み出して、音声信号に変換してスピーカに出力する受話側制御ステップとを含む
ことを特徴とする通信方法。
【請求項７】
無線回線を介して他の端末装置と通信する携帯端末装置において、
ユーザが情報を入力するための操作手段と、
ユーザが入力した音声に応じた音声信号を出力する音声入力手段と、
音声信号に応じた音声を出力する音声出力手段と、
入力信号にもとづく変調処理を行う手段であって、音声通話中に前記操作手段に入力された切替要求に応じて、音声入力手段から入力される音声信号に代えて、前記操作手段に入力された音声指示情報に応じた信号を入力信号とする音声処理手段と、
音声指示情報に応じた信号に対応する音声データを記憶する記憶手段と、
受信した信号から音声指示情報に応じた信号を検出する音声指示情報検出手段と、
前記音声指示情報検出手段が検出した音声指示情報に応じた信号に対応する音声データを前記記憶手段から読み出し、読み出した音声データにもとづく音声信号を前記音声出力手段に出力する制御部と
を備えた携帯端末装置。
【発明の詳細な説明】
【技術分野】
【０００１】
本発明は、送話側通信端末になされた操作にもとづいて、受話側通信端末が音声を出力する通信システム、通信方法、およびテキストにもとづく音声通話を実現する携帯端末装置に関する。
【背景技術】
【０００２】
携帯電話機は、多種多様な通話方法で利用されている。例えば、携帯電話機のみを用いる通常の通話や、携帯電話機にマイクロフォンとレシーバ機能を有するイヤホンとを接続し、マイクロフォンとイヤホンとを用いて通話するイヤホン通話、携帯電話機に内蔵されたＢｌｕｅｔｏｏｔｈ（登録商標）モジュールとＢｌｕｅｔｏｏｔｈキットとをペアリングさせて通話するＢｌｕｅｔｏｏｔｈ通話、携帯電話機を手に持たない状態で通話するハンズフリー通話などの通話方法がある。
【０００３】
なお、特許文献１には、電子メールの内容を音声で出力する携帯端末装置が記載されている。
【０００４】
また、特許文献２には、キー等が操作されて入力されたテキスト情報を受話側に送信し、受話側がテキスト情報を音声に変換して出力する情報通信装置が記載されている。
【０００５】
【特許文献１】特開２００１−１５６７０３号公報（段落００２１〜００３６、図１）
【特許文献２】特開２００４−１２９１７４号公報（段落００１２〜００１３、図５）
【発明の開示】
【発明が解決しようとする課題】
【０００６】
従来の通信端末を用いて通話する場合に、ユーザは、口をできるだけマイクロフォンに近づけ、かつマイクロフォンに向かって発声する必要がある。そして、マイクロフォンに集音させた音声を音声信号に変換させ、変換部に音声信号をデジタル信号に変換させ、無線部にデジタル信号を受話側の通信端末に送信させる。
【０００７】
さらに、受話側の通信端末において、無線部にデジタル信号を受信させ、変換部にデジタル信号を音声信号に変換させ、レシーバに音声信号を音声に変換させて出力させる。
【０００８】
従って、従来の通信端末を用いた通話は、マイクロフォンを介さなければ音声を相手方に伝えることができない。通信端末が携帯電話機である場合には、電車の中にいるユーザや、会議中で会話ができないユーザ、言葉を発することができない障害者、災害などで言葉を発することができないユーザは、マイクロフォンが故障すると通話することができないという問題がある。
【０００９】
そこで、本発明は、送話側のキー操作に応じた音声を受話側に出力させることができる通信システム、通信方法、および携帯端末装置を提供することを目的とする。
【００１０】
なお、特許文献１に記載されている発明は電子メールに係る発明であり、その発明による携帯端末装置は、通話時にテキスト情報にもとづく音声通話を実現することはできない。
【００１１】
また、特許文献２に記載されている情報通信装置は、テキスト情報を受話側に送信する。ここで、一般に、受話側に出力させる音声の文字を示すテキスト情報のデータ量は大きい。そのため、特許文献２に記載されている情報通信装置を用いてテキスト情報を送信した場合、テキスト情報の送信に時間がかかるので、リアルタイムに通話を行うことができないという問題がある。また、通話中にテキスト情報を活用する状態に切り替えることはできない。
【課題を解決するための手段】
【００１２】
本発明による通信システムは、第１の通信端末が通信ネットワークを介して送信した情報にもとづいて、第２の通信端末が音声を出力する通信システムであって、第１の通信端末は、ユーザによってなされた操作に従って、入力された音声にもとづく音声情報を第２の通信端末に送信する音声通話状態から、押下されたキーを示すキー情報を第２の通信端末に送信するキー入力通話状態に遷移し、キー入力通話状態で、押下されたキーを示すキー情報を生成する送話側制御手段と、キー入力通話状態で、キー情報を通信ネットワークを介して第２の通信端末に送信するキー情報送信手段とを含み、第２の通信端末は、所定のキー情報に対応づけられた音声データを記憶する記憶手段と、第１の通信端末から通信ネットワークを介してキー情報を受信するキー情報受信手段と、キー情報受信手段が受信したキー情報に対応づけられた音声データを記憶手段から読み出して、音声信号に変換してスピーカに出力する受話側制御手段とを含むことを特徴とする。
【００１３】
記憶手段は、キー情報に対応づけられた音声データであって、キー情報に応じた文字の音声データを記憶し、受話側制御手段は、キー情報受信手段が受信したキー情報に対応づけられた音声データを記憶手段から読み出して、音声信号に変換してスピーカに出力してもよい。
【００１４】
送話側制御手段は、キー入力通話状態で、所定の時間内に押下されたキーの組み合わせを示すキー情報を生成してもよい。
【００１５】
送話側制御手段は、キー入力通話状態で、所定の時間内に押下されたキーの組み合わせを示すキー情報を生成し、記憶手段は、キー情報に対応づけられた音声データであって、キー情報に応じた文字または文の音声データを記憶し、受話側制御手段は、キー情報受信手段が受信したキー情報に対応づけられた音声データを記憶手段から読み出して、音声信号に変換してスピーカに出力してもよい。
【００１６】
送話側制御手段は、キー入力通話状態で、所定の時間内に押下されたキーの組み合わせを示すキー情報を生成し、記憶手段は、緊急呼を示すキーの組み合わせのキー情報に対応づけられた音声データであって、緊急呼に応じた文の音声データを記憶し、受話側制御手段は、キー情報受信手段が受信したキー情報に対応づけられた音声データを記憶手段から読み出して、音声信号に変換してスピーカに出力してもよい。
【００１７】
本発明による通信方法は、第１の通信端末が通信ネットワークを介して送信した情報にもとづいて、第２の通信端末が音声を出力する通信方法であって、第１の通信端末が、ユーザによってなされた操作に従って、入力された音声にもとづく音声情報を第２の通信端末に送信する音声通話状態から、押下されたキーを示すキー情報を第２の通信端末に送信するキー入力通話状態に遷移し、キー入力通話状態で、押下されたキーを示すキー情報を生成するキー情報生成ステップと、第１の通信端末が、キー入力通話状態で、キー情報を通信ネットワークを介して第２の通信端末に送信するキー情報送信ステップと、第２の通信端末が、第１の通信端末から通信ネットワークを介してキー情報を受信するキー情報受信ステップと、第２の通信端末が、キー情報受信ステップで受信したキー情報に対応づけられた音声データを、所定のキー情報に対応づけられた音声データを記憶する記憶手段から読み出して、音声信号に変換してスピーカに出力する受話側制御ステップとを含むことを特徴とする。
【００１８】
本発明による携帯端末装置は、無線回線を介して他の端末装置と通信する携帯端末装置であって、ユーザが情報を入力するための操作手段と、ユーザが入力した音声に応じた音声信号を出力する音声入力手段と、音声信号に応じた音声を出力する音声出力手段と、入力信号にもとづく変調処理を行う手段であって、音声通話中に操作手段に入力された切替要求に応じて、音声入力手段から入力される音声信号に代えて、操作手段に入力された音声指示情報に応じた信号を入力信号とする音声処理手段と、音声指示情報に応じた信号に対応する音声データを記憶する記憶手段と、受信した信号から音声指示情報に応じた信号を検出する音声指示情報検出手段と、音声指示情報検出手段が検出した音声指示情報に応じた信号に対応する音声データを記憶手段から読み出し、読み出した音声データにもとづく音声信号を音声出力手段に出力する制御部とを備えたことを特徴とする。
【発明の効果】
【００１９】
本発明によれば、第１の通信端末になされたキー操作に応じた音声を第２の通信端末に出力させることができる。
【００２０】
送話側制御手段が、キー入力通話状態で、所定の時間内に押下されたキーの組み合わせを示すキー情報を生成するように構成された場合には、押下された複数のキーの組み合わせに応じたキー情報を生成し、当該キー情報に対応づけられた音声データにもとづく文字または文の音声を第２の通信端末に出力させることができる。
【００２１】
記憶手段が、緊急呼を示すキーの組み合わせのキー情報に対応づけられた音声データであって、緊急呼に応じた文の音声データを記憶するように構成された場合には、第１の通信端末のユーザは、第２の通信端末のユーザに、声を発することなく警察や消防への連絡の意思を伝えることができる。
【発明を実施するための最良の形態】
【００２２】
本発明の実施の形態について、図面を参照して説明する。図１は、本発明による通信システムの一構成例を示すブロック図である。
【００２３】
図１に示す例では、送話側通信端末（第１の通信端末）１は、入力されたキー情報と、当該キー情報を送信する指示とを出力する送話側制御部（送信側制御手段）３２と、送話側制御部３２の指示に応じて、キー情報を通信ネットワークを介して送信する送話側無線部（キー情報送信手段）３３とを含む。
【００２４】
また、図１に示す例では、受話側通信端末（第２の通信端末）２は、送話側通信端末１が送信したキー情報を通信ネットワークを介して受信する受話側無線部（キー情報受信手段）３４と、キー情報に対応づけられた音声データを記憶する受話側メモリ部（記憶手段）３６と、受話側無線部３４が受信したキー情報に対応する音声データを受話側メモリ部３６から呼び出して（読み出して）、音声信号に変換し、音声信号に応じた音声を出力する音声出力手段としてのレシーバ（スピーカ）３７に出力する受話側制御部（受話側制御手段）３５とを含む。また、送話側通信端末１は、ユーザが入力した音声に応じた音声信号を出力する音声入力手段としてのマイクロフォン（図示せず）を備えている。
【００２５】
図２は、送話側通信端末１の外観例を示す外観図である。なお、本例では、送話側通信端末１が携帯電話機であるとして説明する。図２に示すように、送話側通信端末１には、第１の筐体１１に、無線アンテナ部１３と、メインＬＣＤ部１４とが設けられている。また、図２に示すように、送話側通信端末１には、第２の筐体１９に、キー入力通話切り替えキー１８と、テンキー部１７と、マイクロフォン音孔１２と、操作部１６と、終話キー２０とが設けられている。また、図２に示すように、第１の筐体１１と第２の筐体１９とは、ヒンジ部１５で接続されている。キー１８、テンキー部１７、操作部１６、および終話キー２０は、操作手段に含まれるものである。
【００２６】
送話側制御部３２は、音声通話中（音声通話状態）にキー入力通話切り替えキー１８が押下された場合に、テンキー部１７になされた操作に応じたキー情報を受話側通信端末２に送信するキー入力通話状態に遷移する。
【００２７】
また、送話側制御部３２は、キー入力通話状態でキー入力通話切り替えキー１８が押下された場合に、マイクロフォン音孔１２に入力された音声にもとづく音声情報を受話側通信端末２に送信する音声通話状態に遷移する。
【００２８】
また、送話側制御部３２は、音声通話状態またはキー入力通話状態で終話キー２０が押下された場合に、受話側通信端末２との通信を終了する。
【００２９】
図３は、本発明による音声通話システムにおける送話側通信端末１の動作を説明するフローチャートである。
【００３０】
送話側通信端末１の送話側制御部３２は、操作部１６やテンキー部１７に発信操作がなされた場合に、送話側無線部３３を介して受話側通信端末２に発信する。送話側通信端末１の送話側制御部３２は、受話側通信端末２が応答した場合に、音声通話状態に遷移し（ステップＳ１０１）、マイクロフォン音孔１２に入力された音声にもとづく音声情報を送話側無線部３３を介して受話側通信端末２に送信する。
【００３１】
送話側通信端末１の送話側制御部３２は、音声通話状態で、キー入力通話切り替えキー１８が押下されず（ステップＳ１０２のＮ）、終話キー２０が押下されない場合に（ステップＳ１０３のＮ）、音声通話状態を継続する（ステップＳ１０１）。
【００３２】
送話側通信端末１の送話側制御部３２は、音声通話状態でキー入力通話切り替えキー１８が押下されることによって切替要求が入力された場合に（ステップＳ１０２のＹ）、キー入力通話状態に遷移する（ステップＳ２０１）。そして、送話側通信端末１の送話側制御部３２は、テンキー部１７になされた操作に応じたキー情報を生成して、送話側無線部３３に、生成したキー情報と当該キー情報の送信の指示とを出力する。
【００３３】
具体的には、送話側制御部３２は、送話側無線部３３に対してマイクロフォン（図１において図示せず）から入力された音声信号に代えて、送話側制御部３２から出力された信号を入力するように切り替えるように切替指示を出す。そして、キー情報に対応したＤＴＭＦ（Ｄｕａｌ  Ｔｏｎｅ  Ｍｕｌｔｉ  Ｆｒｅｑｕｅｎｃｙ）信号を送話側無線部３３に出力する。送話側無線部３３は、切替指示を入力すると、入力信号を、マイクロフォンからの音声信号から送話側制御部３２からの信号に切り替える。送話側無線部３３は、通信ネットワークを介して受話側通信端末２にキー情報を送信する。なお、送話側無線部３３は、音声信号などの入力信号にもとづく変調処理を行う音声処理部を含む。
【００３４】
受話側通信端末２の受話側無線部３４は、送話側通信端末１が送信したキー情報を通信ネットワークを介して受信する。受話側無線部３４は、ＤＴＭＦ信号を受信したことを検出すると、受信したＤＴＭＦ信号に対応するキー情報を受話側制御部３５に出力する。受話側制御部３５は、受話側無線部３４が受信したキー情報に対応する音声データを受話側メモリ部３６から呼び出して、音声信号に変換してレシーバ３７に出力する。レシーバ３７は、入力された音声信号を音声に変換して出力する。
【００３５】
送話側通信端末１の送話側制御部３２は、キー入力通話状態で、キー入力通話切り替えキー１８が押下されず（ステップＳ２０２のＮ）、終話キー２０が押下されない場合に（ステップＳ２０３のＮ）、キー入力通話状態を継続する（ステップＳ２０１）。
【００３６】
送話側通信端末１の送話側制御部３２は、キー入力通話状態でキー入力通話切り替えキー１８が押下された場合に（ステップＳ２０２のＹ）、音声通話状態に遷移する（ステップＳ１０１）。
【００３７】
送話側通信端末１の送話側制御部３２は、音声通話状態またはキー入力通話状態で、終話キー２０が押下された場合に（ステップＳ１０３のＹ、またはステップＳ２０３のＹ）、処理を終了（終話処理を実行）する。
【００３８】
図４は、送話側通信端末１と受話側通信端末２とのキー入力通話を説明する説明図である。
【００３９】
なお、受話側通信端末２の受話側メモリ部３６には、「１１」というキー情報に対応づけられて「あ」の音声データが記憶され、「１２」というキー情報に対応づけられて「い」の音声データが記憶され、「１１９」というキー情報に対応づけられて「救急車を呼んでください」の音声データが記憶されているとする。
【００４０】
キー入力通話状態で、所定時間内に送話側通信端末１のテンキー部１７における「１」キーが２回押下された場合に、送話側制御部３２は、送話側無線部３３に、「１」と「１」とを組み合わせた「１１」を示すキー情報を受話側通信端末２に送信することを指示する。送話側無線部３３は、「１１」を示すキー情報を受話側通信端末２に送信する。なお、「１１」を示すキー情報とは、例えば、２進数で「１１」を示すようにエンコードされたデジタル信号である。
【００４１】
受話側無線部３４が、送話側通信端末１が送信した「１１」を示すキー情報を受信した場合に、受話側制御部３５は、「１１」を示すキー情報に対応づけられている「あ」の音声データを受話側メモリ部３６から呼び出して、音声信号に変換してレシーバ３７に出力する。レシーバ３７は、「あ」の音声を出力する。
【００４２】
キー入力通話状態で、送話側通信端末１のテンキー部１７における「１」キーが押下され、その後所定時間内に「２」キーが押下された場合に、送話側制御部３２は、送話側無線部３３に、「１」と「２」とを組み合わせた「１２」を示すキー情報を受話側通信端末２に送信することを指示する。送話側無線部３３は、「１２」を示すキー情報を受話側通信端末２に送信する。
【００４３】
受話側無線部３４が、送話側通信端末１が送信した「１２」を示すキー情報を受信した場合に、受話側制御部３５は、「１２」を示すキー情報に対応づけられている「い」の音声データを受話側メモリ部３６から呼び出して、音声信号に変換してレシーバ３７に出力する。レシーバ３７は、「い」の音声を出力する。
【００４４】
また、キー入力通話状態で、送話側通信端末１のテンキー部１７における「１」キーが２回押下され、その後所定時間内に「９」キーが１回押下された場合に、送話側制御部３２は、送話側無線部３３に、「１」と「１」と「９」とを組み合わせた「１１９」を示すキー情報を受話側通信端末２に送信することを指示する。送話側無線部３３は、「１１９」を示すキー情報を受話側通信端末２に送信する。
【００４５】
受話側無線部３４が、送話側通信端末１が送信した「１１９」を示すキー情報を受信した場合に、受話側制御部３５は、「１１９」を示すキー情報に対応づけられている「救急車を呼んでください」の音声データを受話側メモリ部３６から呼び出して、音声信号に変換してレシーバ３７に出力する。レシーバ３７は、「救急車を呼んでください」の音声を出力する。
【００４６】
本実施の形態では、送話側通信端末１が、なされた操作に応じたキー情報を受話側通信端末２に送信し、受話側通信端末２が、受信したキー情報に対応する音声を出力するので、送話側通信端末１のユーザが音声を発することができない状況でも、受話側通信端末２に音声を出力させることができる。
【００４７】
また、本実施の形態では、送話側通信端末１が、なされた操作に応じたキー情報を受話側通信端末２に送信するので、音声情報を送信する場合や、なされた操作に応じた文字を示す情報を送信する場合に比べて、送信するデータ量が少ないので、データ送信時間が短い。よって、送話側通信端末１のユーザは、受話側通信端末２のユーザとのキー入力通話を円滑に行うことができる。
【００４８】
なお、受話側メモリ部３６には、「１１９」以外の他の緊急呼（例えば、「１１０」）を示すキー情報に対応づけられて、他の音声データ（例えば、「警察を呼んでください」）が記憶されていてもよい。そのように構成された場合には、送話側通信端末１のユーザは、言葉を発することができない状態であっても、受話側通信端末２のユーザに、緊急通報の依頼等をすることができる。
【００４９】
また、受話側メモリ部３６には、所定のキー情報に対応づけられ、送話側通信端末１のユーザおよび受話側通信端末２のユーザに応じた音声データが記憶されていてもよい。そのように構成された場合には、本発明による通信システムの各ユーザに応じた音声を受話側通信端末２に出力させることができる。
【００５０】
なお、本実施の形態では、送話側通信端末１として、携帯端末装置の一例である携帯電話機を例示したが、受話側通信端末２も携帯電話機等の携帯端末装置であってもよい。その場合、携帯端末装置は、送話側通信端末１の機能と、受話側通信端末２の機能とをともに有していてもよい。
【００５１】
また、本実施の形態では、送話側通信端末１は携帯電話機であるとして説明したが、本発明はこれに限定されるものではなく、キー入力操作が可能なデータ送信機能を有する装置であればよい。具体的には、例えば、送話側通信端末１および受話側通信端末２のいずれか一方または両方がＰＨＳ（Ｐｅｒｓｏｎａｌ  Ｈａｎｄｙｐｈｏｎｅ  Ｓｙｓｔｅｍ）端末や、ＰＤＡ（Ｐｅｒｓｏｎａｌ  Ｄａｔａ  Ａｓｓｉｓｔａｎｃｅ，Ｐｅｒｓｏｎａｌ  Ｄｉｇｉｔａｌ  Ａｓｓｉｓｔａｎｔｓ）等の携帯端末装置や、公衆電話回線に接続されている電話機や、パーソナルコンピュータ、ファクシミリ装置等の装置であってもよい。
【産業上の利用可能性】
【００５２】
本発明は、一方の通信端末に音声を入力することなく、他方の通信端末に音声を出力させる通信システムに適用することができる。
【図面の簡単な説明】
【００５３】
【図１】本発明による通信システムの一構成例を示すブロック図である。
【図２】送話側通信端末の外観例を示す外観図である。
【図３】送話側通信端末の動作を説明するフローチャートである。
【図４】送話側通信端末と受話側通信端末とのキー入力通話を説明する説明図である。
【符号の説明】
【００５４】
１  送話側通信端末
２  受話側通信端末
１１  第１の筐体
１２  マイクロフォン音孔
１３  無線アンテナ部
１４  メインＬＣＤ部
１５  ヒンジ部
１６  操作部
１７  テンキー部
１８  キー入力通話切り替えキー
１９  第２の筐体
２０  終話キー
３２  送話側制御部
３３  送話側無線部
３４  受話側無線部
３５  受話側制御部
３６  受話側メモリ部
３７  レシーバ
【図１】
2008124972.tif 000003
【図２】
2008124972.tif 000004
【図３】
2008124972.tif 000005
【図４】
2008124972.tif 000006